(57)【要約】      （修正有）【課題】サッカーのフリーキック等のセットプレーの練習は勿論のこと、ハンドボールのセットプレーの練習や、ハンドボール・バスケットボールのドリブルの練習にも使用することができる球技用障害物を提供する。【解決手段】球技用障害物は、軟質の合成樹脂シートで袋状に形成された、等身大の本体部分２と台座部分３とを含み、台座部分を、周囲が台座部分の内面に溶着された合成樹脂のシート状隔壁４によって水袋５と空気室６とに分割し、空気室と本体部分は互いに連通した空気袋として構成され、前記台座部分の水袋に、水を注入したり水抜きしたりするための水栓を、前記空気室に、前記空気袋に空気を吹き込んだり空気抜きしたりするための空気栓を設けてなる。【選択図】図１
0003113540.tif 000002
【実用新案登録請求の範囲】
【請求項１】
全体が軟質の合成樹脂シートで袋状に形成された、等身大の本体部分と台座部分とを含み、台座部分を、周囲が台座部分の内面に溶着された合成樹脂のシート状隔壁によって水袋と空気室とに分割し、空気室と本体部分は互いに連通した空気袋として構成され、前記台座部分の水袋に、水を注入したり水抜きしたりするための水栓を、前記空気室に、前記空気袋に空気を吹き込んだり空気抜きしたりするための空気栓を設けてなる、球技用障害物。
【請求項２】
本体部分は、頭、胴部及び脚部を有し、正面側において頭には顔、胴部には腕及びユニホーム、脚部にはソックスが描かれる、請求項１に記載の球技用障害物。
【請求項３】
台座部分は、踏ん張った足に対応し、その下面が皿形に形成されている、請求項１に記載の球技用障害物。
【考案の詳細な説明】
【技術分野】
【０００１】
本考案は、サッカーのフリーキック等のセットプレーの練習、ハンドボールのセットプレーの練習、及びハンドボール・バスケットボールのドリブルの練習などに使用することのできる球技用障害物に関する。
【背景技術】
【０００２】
例えば、サッカー競技では、選手が数人横に並んで楯となってフリーキックの成功を阻もうとすることから、選手は、絶えずフリーキックの向上を目指して練習に励むわけである。そのために、人間の楯に代わるセットプレーの練習用の障害物の出現が強く求められている。その要望に応えるものとして、キャスター付台の上に複数の人形枠体を並べて取り付けて構成したフリーキック練習機が市販されている。これは、特願２００２−２３１２８８号に開示されている。
【考案の開示】
【考案が解決しようとする課題】
【０００３】
かかるフリーキック練習機は、金属製であるため重量が数十キログラムと非常に重く、しかも嵩張るため、持ち運びや運搬に不便である。加えて、複数の人形枠体はキャスター付台に固定されているため、選手の楯のように自由に位置を決められず、換言すれば、並び方について融通性が全くないといった欠点を有している。
【０００４】
本考案の目的は、このような欠点を悉く解消し、サッカーのフリーキック等のセットプレーの練習は勿論のこと、ハンドボールのセットプレーの練習や、ハンドボール・バスケットボールのドリブルの練習にも使用することができる球技用障害物を提供するにある。
【課題を解決するための手段】
【０００５】
本考案によれば、この目的は、全体が軟質の合成樹脂シートで袋状に形成された、等身大の本体部分と台座部分とを含み、台座部分を、周囲が台座部分の内面に溶着された合成樹脂のシート状隔壁によって水袋と空気室とに分割し、空気室と本体部分は互いに連通した空気袋として構成され、前記台座部分の水袋に、水を注入したり水抜きしたりするための水栓を、前記空気室に、前記空気袋に空気を吹き込んだり空気抜きしたりするための空気栓を設けてなる球技用障害物を提供することによって達成される。
【０００６】
本体部分は、頭、胴部及び脚部を有し、好ましくは、正面側において頭には顔、胴部には腕及びユニホーム、脚部にはソックスがリアルに描かれる。
【０００７】
台座部分は、踏ん張った足に対応し、その下面が皿形に形成されている。台座部分の水袋に注入されて満たされた水が重りとなっているから、水袋は、空気で膨らまされた本体部分が倒れてもすぐに起き上がらせるように働く。
【考案を実施するための最良の形態】
【０００８】
図１乃至４において、本考案による球技用障害物１は、等身大の背丈を有し、本体部分２及び台座部分３を含み、全体が軟質の合成樹脂シートで袋状に形成されている。台座部分３は、図５及び６に示すように、その内面に周囲が溶着された合成樹脂のシート状隔壁４によって区切られて構成された下部水袋５及び上部空気室６を有し、上部空気室６は、本体部分２と連通して全体で空気袋７を構成している。
【０００９】
台座部分３は、水袋５に水を注入したり水抜きしたりするための水栓８、及び空気室６に空気を吹き込んだり空気抜きしたりするための空気栓９を備え、ており、その詳細は、図７及び８から知ることができる。
【００１０】
本体部分２は、好ましくは、正面側において、顔を描いた頭１０、腕及びユニホームを描いた胴部１１及びソックスを描いた脚部１２からなり、また台座部分３は、踏ん張った足に対応し、台座部分の水袋が水で満たされたとき、水袋は、重しとなって、空気で膨らんだ本体部分が倒れてもすぐに起き上がことができるようにように、その下面が皿形に形成されている。
【００１１】
水栓８を開けて注入口１３から水袋５に水を注入すると、水袋の水は重りとなる。注入後、水栓８を閉じる。一方空気栓９を開けて注入口１４から空気室６に空気を吹き込むと、これと連通している本体部分２が膨らんで空気袋７となって起き上がる。空気の吹き込み後、空気栓９を閉じる。
【００１２】
本考案による障害物をサッカーのフリーキックのようなセットプレーの練習に使用する場合には、障害物１を、選手の楯を構成するように、例えば、複数個横に並べて置く。ボールが障害物に当たって倒れても台座部分３には、重しとしての水袋５があるため自然と起き上がることができ、そのまま反復練習が可能である。障害物の配列を変える場合、障害物は、一人で容易に持ち運びできる程度の重量であるため、簡単にセットすることができる。
【００１３】
本考案による障害物は、ハンドボールのセットプレーの練習もサッカーのフリーキックと同様に行うことができるし、またハンドボール・バスケットボールの場合、ドリブル練習のコーンの代わりに使えば、障害物に身体をぶつけながら実践に近い練習をも行うことができる。
【００１４】
空気栓及び水栓を開けて空気抜き、水抜きをすれば台座部分も本体部分も略平に収縮し、格納などにおいて場所を取らない。
【図面の簡単な説明】
【００１５】
【図１】本考案による球技用障害物の正面図である。
【図２】本考案による球技用障害物の背面図である。
【図３】本考案による球技用障害物の右側面図である。
【図４】本考案による球技用障害物の平面図である。
【図５】本考案による球技用障害物の台座部分の一部断面図である。
【図６】台座部分を上から見た斜視図であって、シート状隔壁を点線で示した図である。
【図７】台座部分に取り付けられた水栓の詳細斜視図である。
【図８】台座部分に取り付けられた空気栓の詳細斜視図である。
【符号の説明】
【００１６】
１  障害物
２  本体部分
３  台座部分
４  合成樹脂のシート状隔壁
５  水袋
６  空気室
７  空気袋
８  水栓
９  空気栓
１０  頭
１１  胴部
１２  脚部
【図１】
0003113540.tif 000003
【図２】
0003113540.tif 000004
【図３】
0003113540.tif 000005
【図４】
0003113540.tif 000006
【図５】
0003113540.tif 000007
【図６】
0003113540.tif 000008
【図７】
0003113540.tif 000009
【図８】
0003113540.tif 000010